(57)【要約】【課題】上蓋部材及び中蓋を外すために大きな力を要することなく開く容器蓋を提供すること。【解決手段】容器蓋１は、蓋本体３と上蓋部材４とから構成されている。蓋本体３は、中蓋１１の除去領域を規定する環状破断ライン２３が形成されている底壁７と、底壁７の中蓋１１の上面に接続されている引張片２１とを含んでいる。蓋本体３の底壁７における中蓋１１の外側には、中蓋１１の底部１１ｂの外周縁に近接してその外側に位置する鋭利な下端縁を有するカッター１４が配設されている。カッター１４は、容器蓋１の中蓋１１の下部に溶着されているフィルム２５を切断することができる。【選択図】図２
2008007156.tif 000002
【特許請求の範囲】
【請求項１】
蓋本体と、該蓋本体を覆う閉位置と該蓋本体を露呈させる開位置との間を旋回自在に該蓋本体に接続された上蓋部材とから構成され、
該蓋本体は、中蓋の除去領域を規定する環状破断ラインが形成されている底壁と、該底壁の該中蓋の上面に接続されている引張片とを含み、
該底壁の該中蓋は筒状部と該筒状部の下端を閉じる底部とを有し、該底部の下面と該底部を囲繞する、該底壁の外周縁部の下面とが容器壁に接合され、
該引張片を引張って該環状破断ラインを破断すると、該蓋本体の該引張片と共に該底壁の該中蓋が除去されると共に、該容器壁が該底壁の該底部と該外周縁部との間において破断されて該容器壁の一部も除去される容器蓋にして、
該蓋本体の該底壁には、該中蓋の該底部の外周縁に近接してその外側に位置する鋭利な下端縁を有する切断促進手段が配設されている、ことを特徴とする容器蓋。
【請求項２】
該切断促進手段は該中蓋の該底部の外周縁に沿って間隔をおいて複数個配設されている、請求項１記載の容器蓋。
【請求項３】
該切断促進手段は該中蓋の該底部の外周縁に沿って連続して環状に延在している、請求項１記載の容器蓋。
【請求項４】
該環状破断ラインは延在方向に間隔をおいて配設された複数個のスリットと該スリット間に位置する複数個の破断可能架橋部とから構成されている、請求項１から３までのいずれかに記載の容器蓋。
【請求項５】
蓋本体と、該蓋本体を覆う閉位置と該蓋本体を露呈させる開位置との間を旋回自在に該蓋本体に接続された上蓋部材とから構成され、
該蓋本体は、中蓋の除去領域を規定する環状破断ラインが形成されている底壁を有し、
該上蓋部材は、天面壁と該天面壁の周縁から垂下する筒状スカート壁とを有し、該スカート壁の下端縁における周方向所定部位が該蓋本体の該底壁の周方向所定部位に旋回自在に接続されており、
該上蓋部材の該スカート壁の、該周方向所定部位に対して直径方向反対側には、破断可能橋絡部を介して該スカート壁に接続され且つ下方に延びる係止片が配設されており、該蓋本体の該底壁には、該周方向所定部位に対して直径方向反対側に該上蓋部材の該係止片を受け入れる収容孔が配設されており、該上蓋部材が該閉位置にされると該係止片が該収容孔内に進入して該収容孔内に係止され、該上蓋部材が該閉位置から該開位置にされる際には該破断可能橋絡部が破断されて該係止片が該スカート壁から離脱される容器蓋において、
該係止片及び／又は該スカート壁には該スカート壁及び／又は該係止片に対して若干の間隙をおいて位置する先端縁を有する受け突起が配設されている、ことを特徴とする容器蓋。
【請求項６】
該蓋本体の該底壁には上方に延びる隆起壁が配設されており、該上蓋部材が該閉位置に旋回されると該上蓋部材の該スカート壁が該蓋本体の該隆起壁に隣接してその外側に位置し、該スカート壁の内周面と該隆起壁の外周面とには相互に係合して該上蓋部材を該閉位置に保持する保持手段が配設されており、
該係止片と該収容孔とには該上蓋部材が該閉位置から該開位置に旋回される際に相互に係合して該上蓋部材の旋回を拘束する拘束手段が配設されており、
該上蓋部材が該閉位置から該開位置に旋回される際には、該保持手段の相互係合が少なくとも部分的に解除された後に該拘束手段が相互に係合する、請求項５記載の容器蓋。
【請求項７】
蓋本体と、該蓋本体を覆う閉位置と該蓋本体を露呈させる開位置との間を旋回自在に該蓋本体に接続された上蓋部材とから構成され、
該蓋本体は、中蓋の除去領域を規定する環状破断ラインが形成されている底壁を有し、
該上蓋部材は、天面壁と該天面壁の周縁から垂下する筒状スカート壁とを有し、該スカート壁の下端縁における周方向所定部位が該蓋本体の該底壁の周方向所定部位に旋回自在に接続されており、
該上蓋部材の該スカート壁の、該周方向所定部位に対して直径方向反対側には、破断可能橋絡部を介して該スカート壁に接続され且つ下方に延びる係止片が配設されており、該蓋本体の該底壁には、該周方向所定部位に対して直径方向反対側に該上蓋部材の該係止片を受け入れる収容孔が配設されており、該上蓋部材本体が該閉位置にされると該係止片が該収容孔内に進入して該収容孔内に係止され、
該蓋本体の該底壁には上方に延びる隆起壁が配設されており、該上蓋部材が該閉位置にされると該上蓋部材の該スカート壁が該蓋本体の該隆起壁に隣接してその外側に位置し、該スカート壁の内周面と該隆起壁の外周面とには相互に係合して該上蓋部材を該閉位置に保持する保持手段が配設されており、
該係止片と該収容孔とには該上蓋部材が該閉位置から該開位置にされる際に相互に係合して該上蓋部材の開状態を拘束する拘束手段が配設されており、
該上蓋部材が該閉位置から該開位置にされる際には、該保持手段の相互係合が少なくとも部分的に解除された後に該拘束手段が相互に係合する、ことを特徴とする容器蓋。  
【発明の詳細な説明】
【技術分野】
【０００１】
本発明は、蓋本体とこの蓋本体に旋回自在に接続された上蓋部材とから構成され、上蓋部材は蓋本体を覆う閉位置と蓋本体を露呈させる開位置との間を旋回動される容器蓋に関する。
【背景技術】
【０００２】
紙と金属箔フィルム及び／又は合成樹脂フィルムとの積層体から構成された容器に特に好都合に適用される容器蓋として、周知の如く、蓋本体とこの蓋本体に旋回自在に接続された上蓋部材とから構成された容器蓋が提案され、実用に供されている。蓋本体は中蓋の除去領域を規定する環状破断ラインが形成されている底壁と、底壁の中蓋の上面に接続されている引張片と、底壁の周縁部から上方に延びる隆起壁とを含んでいる。上蓋部材は天面壁とこの天面壁の周縁から垂下する筒状スカート壁とを有する。上蓋部材のスカート壁の下端縁における周方向特定部位が蓋本体の底壁の周方向所定部位に旋回自在に接続され、上蓋部材は蓋本体を覆う閉位置と蓋本体を露呈させる開位置との間を旋回される。上蓋部材が閉位置にされると、上蓋部材のスカート壁が蓋本体の隆起壁に隣接してその外側に位置する。蓋本体の隆起壁の外周面と上蓋部材のスカート壁の内周面には、相互に係合して上蓋部材を閉位置に保持する保持手段が配設されている。
【０００３】
上述したとおりの容器蓋は、蓋本体の底壁における中蓋の下面を容器壁に接合すると共に、底壁の中蓋の下面から間隔をおいて中蓋の下面を囲繞する、底壁の周縁部の下面を容器壁に接合することによって容器に適用される。上蓋部材を開位置にし、引張片を引っ張ると、破断可能ラインが破断されて引張片と共に底壁の中蓋が除去されると共に、容器壁における、底壁の中蓋が接合されている領域が破断されて除去され、かくして容器に注出口が生成される。
【０００４】
下記特許文献１には、蓋本体とこの蓋本体に旋回自在に接続された上蓋部材とから構成された容器蓋において、上蓋部材のスカート壁に破断可能橋絡部を介して接続され且つ下方に延びる係止片を配設すると共に、蓋本体の底壁に係止片を受け入れる収容孔を配設することが開示されている。上蓋部材が閉位置にされると、係止片が収容孔に進入して収容孔に係止される。上蓋部材を開位置にする際には破断可能ラインが破断されて係止片が上蓋部材のスカート壁から離脱され、これによって上蓋部材が閉位置から開状態にされたことが明示され、所謂タンパーエビデント特性が確保される。
【特許文献１】実用新案登録公報第２５２０７８２号公報
【発明の開示】
【発明が解決しようとする課題】
【０００５】
而して、上述した形態の従来の容器蓋には次のとおりの解決すべき問題がある。
容器蓋の中蓋を破断するときに、初期に大きな力を負荷しなければ、容器壁の破断が容易でない。
容器蓋の成形後に、上蓋部材が開位置にある状態で上蓋部材を閉位置に旋回し、上蓋を閉じ状態にする際に、係止片の橋絡部が破断されてしまう虞がある。これは、特に係止片が硬質の合成樹脂で形成されている場合に起こりうる。
上蓋部材の保持解除と係止片の橋絡部の破断とが実質上同時であると、上蓋部材を開位置にするのに相当な力を要する。
本発明は、このような事情に鑑みてなされたものであって、上蓋部材を外すために初期に大きな力を要することなく円滑に上蓋部材を開けることができる容器蓋を提供することを目的とする。
【課題を解決するための手段】
【０００６】
本発明の容器蓋は、上記目的を達成するために、蓋本体と、該蓋本体を覆う閉位置と該蓋本体を露呈させる開位置との間を旋回自在に該蓋本体に接続された上蓋部材とから構成され、該蓋本体は、中蓋の除去領域を規定する環状破断ラインが形成されている底壁と、該底壁の該中蓋の上面に接続されている引張片とを含み、該底壁の該中蓋は筒状部と該筒状部の下端を閉じる底部とを有し、該底部の下面と該底部を囲繞する、該底壁の外周縁部の下面とが容器壁に接合され、該引張片を引張って該環状破断ラインを破断すると、該蓋本体の該引張片と該底壁の該中蓋とが除去されると共に、該容器壁が該底壁の該中蓋の該底部と該外周縁部との間において破断されて該容器壁の一部も除去される容器蓋にして、該蓋本体の該底壁における該中蓋の外側には、該中蓋の該底部の外周縁に近接してその外側に位置する鋭利な下端縁を有する切断促進手段（本実施例ではカッター）が配設されている。
上記容器蓋の該切断促進手段は該中蓋の該底部の外周縁に沿って間隔をおいて複数個配設させることができる。
上記容器蓋の該切断促進手段は該中蓋の該底部の外周縁に沿って連続して環状に延在させることができる。
上記容器蓋の該環状破断ラインは延在方向に間隔をおいて配設された複数個のスリットと該スリット間に位置する複数個の破断可能架橋部とから構成することができる。
【０００７】
また、本発明の容器蓋は上記目的を達成するために、蓋本体と、該蓋本体を覆う閉位置と該蓋本体を露呈させる開位置との間を旋回自在に該蓋本体に接続された上蓋部材とから構成され、該蓋本体は、中蓋の除去領域を規定する環状破断ラインが形成されている底壁を有し、該上蓋部材は、天面壁と該天面壁の周縁から垂下する筒状スカート壁とを有し、該スカート壁の下端縁における周方向所定部位が該蓋本体の該底壁の周方向所定部位に旋回自在に接続されており、該上蓋部材の該スカート壁の、該周方向所定部位に対して直径方向反対側には、破断可能橋絡部を介して該スカート壁に接続され且つ下方に延びる係止片が配設されており、該蓋本体の該底壁には、該周方向所定部位に対して直径方向反対側に該上蓋部材の該係止片を受け入れる収容孔が配設されており、該上蓋部材が該閉位置にされると該係止片が該収容孔内に進入して該収容孔内に係止され、該上蓋部材が該閉位置から該開位置にされる際には該破断可能橋絡部が破断されて該係止片が該スカート壁から離脱される容器蓋において、該係止片及び／又は該スカート壁には該スカート壁及び／又は該係止片に対して若干の間隙をおいて位置する先端縁を有する受け突起（本実施形態では受け座）が配設されている。
この容器蓋の該蓋本体の該底壁には上方に延びる隆起壁（本実施形態では外側環状壁）が配設されており、該上蓋部材が該閉位置に旋回されると該上蓋部材の該スカート壁が該蓋本体の該隆起壁に隣接してその外側に位置し、該スカート壁の内周面と該隆起壁の外周面とには相互に係合して該上蓋部材を該閉位置に保持する保持手段（本実施形態ではビード）が配設されており、該係止片と該収容孔とには該上蓋部材が該閉位置から該開位置に旋回される際に相互に係合して該上蓋部材の旋回を拘束する拘束手段（本実施形態では段差部とＴＥ突起）が配設されており、該上蓋部材が該閉位置から該開位置に旋回される際には、該保持手段の相互係合が少なくとも部分的に解除された後に該拘束手段が相互に係合することができる。
【０００８】
さらに、本発明の容器蓋は、上記目的を達成するために、蓋本体と、該蓋本体を覆う閉位置と該蓋本体を露呈させる開位置との間を旋回自在に該蓋本体に接続された上蓋部材とから構成され、該蓋本体は、中蓋の除去領域を規定する環状破断ラインが形成されている底壁を有し、該上蓋部材は、天面壁と該天面壁の周縁から垂下する筒状スカート壁とを有し、該スカート壁の下端縁における周方向所定部位が該蓋本体の該底壁の周方向所定部位に旋回自在に接続されており、該上蓋部材の該スカート壁の、該周方向所定部位に対して直径方向反対側には、破断可能橋絡部を介して該スカート壁に接続され且つ下方に延びる係止片が配設されており、該蓋本体の該底壁には、該周方向所定部位に対して直径方向反対側に該上蓋部材の該係止片を受け入れる収容孔が配設されており、該上蓋部材本体が該閉位置にされると該係止片が該収容孔内に進入して該収容孔内に係止され、該蓋本体の該底壁には上方に延びる隆起壁が配設されており、該上蓋部材が該閉位置にされると該上蓋部材の該スカート壁が該蓋本体の該隆起壁に隣接してその外側に位置し、該スカート壁の内周面と該隆起壁の外周面とには相互に係合して該上蓋部材を該閉位置に保持する保持手段が配設されており、該係止片と該収容孔とには該上蓋部材が該閉位置から該開位置にされる際に相互に係合して該上蓋部材の開状態を拘束する拘束手段が配設されており、該上蓋部材が該閉位置から該開位置にされる際には、該保持手段の相互係合が少なくとも部分的に解除された後に該拘束手段が相互に係合するようにした。
【発明の効果】
【０００９】
本発明の容器蓋は、蓋本体の底壁における中蓋の外側には、該中蓋の底部の外周縁に近接してその外側に位置する鋭利な下端縁を有する切断促進手段が配設されているので、容器蓋を取り付けている容器の容器壁の一部が、該底壁の該中蓋の該底部と該底壁の外周縁部との間において破断され、該容器壁の一部を大きな力を必要とすることなく除去することができる。
また、本発明の容器蓋は、係止片及び／又はスカート壁には該スカート壁及び／又は該係止片に対して若干の間隙をおいて位置する先端縁を有する受け突起が配設されているので、係止片を収容孔に収容する際に、破断可能橋絡部が破断されることを防止できる。
さらに、本発明の容器蓋は、上蓋部材が閉位置から開位置にされる際には、保持手段の相互係合が少なくとも部分的に解除された後に拘束手段が相互に係合するようにしたので、上蓋部材を開状態にする際に、力の分散をすることによって、大きな力を必要とすることなく上蓋部材を開けることができる。
【発明を実施するための最良の形態】
【００１０】
以下、本発明の実施の形態の容器蓋について、図面を参照しながら説明する。
図１のＡは上蓋部材を蓋本体にセットした初期状態の正面図、Ｂは上蓋本体を開封した後に閉じた状態の正面図であり、図２のＡは上蓋部材を蓋本体にセットした初期状態の断面図、Ｂは上蓋本体を開封した後に閉じた状態の断面図、ＣはＢの状態から中蓋を除去した後に上蓋本体を閉じた状態の断面図である。図３は容器蓋の開状態における側面方向から見た断面図である。
容器蓋１は、図面に一部のみ示す容器２の蓋部材として用いられ、容器２に取付けられる蓋本体３とこの蓋本体３を覆う上蓋部材４とから構成されている。容器蓋１は、図２及び図３の各図に示すように、蓋本体３と上蓋部材４との接合部に形成した薄肉部６によってヒンジ結合され、上蓋部材４は蓋本体３に対して開閉（旋回）が可能である。容器蓋１は、本実施形態では、射出成形機や圧縮成形機によって一体成形によって形成され、容器蓋１の材質は合成樹脂を用いるが、特に比較的硬質なポリプロピレン等の合成樹脂を用いることが好ましく、本実施形態ではポリプロピレンを使用している。
【００１１】
先ず、蓋本体３の構成について詳細に説明する。
蓋本体３の底壁７は、外周端側に底面が容器２側に突出する円形の環状凸部８が設けられ、環状凸部８の底面は、容器２の飲料の流通口となる開口２ａ（図２及び図６参照）の周囲に気密に溶着され、環状凸部８の内周側縁部と開口２ａの縁部とが面一になるように形成されている。
底壁７には、環状凸部８の内側に、容器蓋１の上方側に窪む環状溝９が形成され、環状溝９のさらに内側には、開口２ａを閉塞する中蓋１１の底部１１ｂが配設されている。
環状溝９の溝底面９ａには、容器２側へ下向きに突出するカッター１４が一体成形によって形成され、カッター１４の下側先端部には鋭角に形成された刃が設けられている。カッター１４は、流通開口の縁部にかつ中蓋１１の底部１１ｂの周囲に間隔を空けて複数個が配設されている。ただし、カッター１４は、流通開口の縁部に環状に連続させて形成してもよい。カッター１４は、切断促進手段として図２に示すフィルム２５を切断する役割を果たすが、これについては後述する。
【００１２】
蓋本体３の上部は、いずれも底壁７の上面から上側に突出する円筒状の内側環状壁１６と同じく円筒状の外側環状壁１７の２重壁を有し、内側環状壁１６の高さは外側環状壁１７の高さよりも高くしている。内側環状壁１６は、環状溝９の裏側に配設され、基端側から上部まで同径であって、上端部にやや半径方向外側に広がるフレア部１６ａを設けている。
外側環状壁１７は、環状凸部８の裏側に配設され、基端側から上部まで同径であって、その外周面には周方向へ延びる断面がほぼ半円形状のビード１７ｂを設けている。外側環状壁１７は蓋本体３の正面側に、壁を省略した開放部１７ａを有し、開放部１７ａには、外側環状壁１７の円周上に延ばして位置させた部位に、円弧形のスリット孔１９が形成されている。スリット孔１９は、環状凸部８を上下方向に貫通させている。スリット孔１９は、上方の開口側が狭く下側を広くした段差部１９ａをスリット孔１９の外側（蓋本体３に対する半径方向外側）に形成している。
【００１３】
内側環状壁１６の内側には、上述した中蓋１１が配設され、中蓋１１は環状の筒状部１１ａと筒状部１１ａの下端を閉じる底部１１ｂとからなり、底部１１ｂの上面には、引張片２１及びこれらを繋ぐ連結部２２を備えている。中蓋１１は、底壁７の外周縁部とこの筒状部１１ａの外周側上縁部との間に形成された環状破断ライン２３によって連結されている。
図４に示すように、中蓋１１の底部１１ｂの外周形状、すなわち環状破断ライン２３は、蓋本体３の正面側と背面側が各々角形状に形成され、背面側は該背面側を三角形の頂点として角部１１ｃが設けられ、正面側へ三角形状の２辺が延びた形状になっている。この環状破断ライン２３は、延在方向に間隔をおいて配設された複数個のスリット２３ａと該スリット２３ａ間に位置する複数個の破断可能な架橋部２３ｂとから構成されている。
【００１４】
中蓋１１の底部１１ｂの上面には、背面側に位置させて上下方向に延びる柱状の連結部２２が接続されている。連結部２２の下部は底部１１ｂの角部１１ｃ（図４参照）に連結され、連結部２２の上端部は、リング状の引張片２１と接続されている。それらの連結部２２及び引張片２１は、内側環状壁１６の内部に配設され、引張片２１は、内側環状壁１６の内周面上端に沿って配設されている。上蓋部材４の開状態で、引張片２１を上方に引くことによって、中蓋１１の底部１１ｂを環状破断ライン２３に沿って、破断させることができる。
【００１５】
ここで、蓋本体３と容器２との接合部について説明する。
図２に示すように、蓋本体３の環状凸部８の下面と容器２は、気密に接合され、中蓋１１の底部１１ｂの下面側の位置は、容器２の内面の高さに面一か或いは若干容器側に突出して形成されている。そして、容器２は、内面に開口２２を覆うようにフィルム２５が溶着され、成形されている。したがって、フィルム２５が存在している間は、容器２の内部とは気密な状態にある。また、上述したカッター１４は、フィルム２５に接触しないよう、かつ、その先端部ができるだけフィルム２５面に近づくように配設されている。カッター１４の長さは、環状凸部８の先端突出面（容器２側）とほぼ同じ長さであるが、本実施形態では、その先端突出面よりも多少突き出すように形成している。
【００１６】
次に、蓋本体３の上側に被せられる上蓋部材４の構成について詳細に説明する。
上蓋部材４は、天面壁３０とスカート壁３１を設け、スカート壁３１は円形の天面壁３０から外側下方に傾斜する傾斜面３３と該傾斜面から垂下する垂下部３４とを備えている。垂下部３４の外径は、蓋本体３の外径に等しい。上述したように、上蓋部材４は蓋本体３と連結される薄肉部６を軸として上下に開閉し、蓋本体３の上部を開閉する。すなわち、図４及び図５に示すように、蓋本体３の背面側に位置させて、蓋本体３と上蓋部材４との接合部には薄肉部６が形成され、薄肉部６は、円形の蓋本体３及び上蓋部材４の接線方向へ延びている。
【００１７】
上蓋部材４の天面壁３０には、上蓋部材４の閉じ状態にて、前面側に延びるフランジ状の引っ掛け部３２を形成し、ユーザはこの引っ掛け部３２に指を掛けて上蓋部材４を開状態にすることができる。天面壁３０の内側には、蓋本体３の内側環状壁１６の内周面に対応させた位置に、天面壁３０から下方に延びる環状リブ形状のシール部３６が形成されている。上蓋部材４の閉じ状態では、シール部３６の先端側の外周面が内側環状壁１６の上側内周面に当接してシール効果を奏する。
【００１８】
上蓋部材４の傾斜面３３の下端には、図６に示すように、蓋本体３のスリット孔１９の直上位置に対応させて、ほぼ舌片状の係止片３８を設けている。すなわち、上蓋部材４の垂下部３４には、蓋本体３の外側環状壁１７の開放部（これより以下内側開放部とする）１７ａに対応する位置を切り欠いた矩形状の外側開放部３４ａを形成し、傾斜面３３の下端（外側開放部３４ａの上端）から下向きに係止片３８を垂下させている。係止片３８は、上蓋部材４に一体的に形成され、係止片３８の幅は外側開放部３４ａの幅にほぼ等しいか若干小さく、係止片３８の先端長さは垂下部３４の下縁部よりもさらに下側へ延びている。
【００１９】
係止片３８と傾斜面３３との接合部は、図１に示すように、係止片３８の左右両端部と中央部に３個所、周方向へ並べられた橋絡部３８ａによって接続されている。橋絡部３８ａは、容器蓋１の半径方向に対して、係止片３８の他の部分よりも肉薄に形成された脆弱部分である。各橋絡部３８ａの間の隙間には、係止片３８の上端から上方へ突出する受け座３８ｂが２個所設けられている。受け座３８ｂは、上端面が上蓋部材４の傾斜面３３の下端に対して僅かな隙間を形成し、傾斜面３３の下端と対向するように配置している。
【００２０】
係止片３８の外側面の中間部には、係止片３８の一側端から他側端にわたって、係合凹部３８ｃが横方向に形成され、係合凹部３８ｃの下側には断面が三角形状の係止突起３８ｄが形成され、係止突起３８ｄの外側面には傾斜面が形成されている。上蓋部材４が閉じられた状態では、係止片３８は、係止突起３８ｄが蓋本体３のスリット孔１９に差し込まれ、スリット孔１９の段差部１９ａと係合凹部３８ｃとが嵌合し、係止突起３８ｄによって、係止片３８が抜け止めされる。
上蓋部材４の垂下部３４の内径は、蓋本体３の外側環状壁１７の外径よりも僅かに大きく形成されている。そして、垂下部３４の内周面には、この周方向に外側開放部３４ａの一端から他端に亘って形成された被係止凸部３４ｂを設け、この被係止凸部３４ｂは上蓋部材４の閉じ状態で、ビード１７ｂに対応する位置に配置されている。したがって、上蓋部材４が閉じられた状態では、ビード１７ｂと被係止凸部３４ｂとが嵌合して上蓋部材４が蓋本体３に保持される。
【００２１】
次に、本実施形態の容器蓋１の作用について説明する。
容器２に容器蓋２を取付ける際には、蓋本体３の底部に図示しない溶着手段によって、フィルム２５を貼り付ける。底壁７の外周縁部と中蓋１１の筒状部１１ａを結ぶ架橋部２３ｂが、僅かな断面積によって連結されているので、熱によって架橋部２３ｂが溶けるおそれがある。これを防止するため、蓋本体３には環状溝９が形成されている。環状溝９は、蓋本体３の底壁７とフィルム２５面との間に設けられている。環状溝９を形成することによって、肉厚部分を無くし、本来であれば該肉厚部が受けたであろう潜熱を省略するとともに、環状溝９を設けたことによって、形成された底部１１ｂの側面の放熱効果によって、架橋部２３ｂが溶けるのを防止している。また、環状溝９は、環状溝の分だけ材料の節約にも貢献する。
【００２２】
容器蓋１が、図示しない金型によって一体成形により形成された状態では、図３の状態にあり、上蓋部材４は開状態にある。この状態から図１のＡに示すように容器蓋１を閉じ状態にして、容器２に容器蓋１を取付ける。上蓋部材４を閉じる際には、図６のＡに示すように、係止片３８の先端部がスリット孔１９に差し込まれる。スリット孔１９の幅（容器蓋の半径方向の幅）は、係止片３８の係止突起３８ｄの最大肉厚より僅かに小さいが、係止孔３８の入口部が緩やかに広がっており、係止突起３８ｄの断面形状が三角形であるので、係止片３８の先端部の係止突起３８ｄは容易にスリット孔１９に案内される。
【００２３】
しかしながら、スリット孔１９の幅が小さく、また係止片３８は上蓋部材４の傾斜面３３下端部との間で肉薄の橋絡部３８ａによって連結されており、係止片３８の差込時に橋絡部３８ａが撓んで係止片３８と傾斜面３３とが当接し、橋絡部３８ａが破損するおそれがある。そのため、図６のＢに示すように、係止片３８には受け座３８ｂを形成し、受け座３８ｂの上端面を傾斜面３３側へ突出させて橋絡部３８ａの隙間を実質的に小さくしている。したがって、図６のＡに示すように、係止片３８のスリット孔１９の差込時に橋絡部３８ａが撓み、傾斜面３３が受け座３８ｂを押圧して係止突起３８ｄをスリット孔１９に貫通させる。したがって、狭い幅のスリット孔１９を橋絡部３８ａが破損せずに、通り抜けることができる。
【００２４】
この係止片３８は、容器蓋１のタンパーエビデントの役割を果たす。すなわち、図６のＡに示すように、上蓋部材４が蓋本体３に被せられた状態では、上述したように、蓋本体３のスリット孔１９を係止片３８の係止突起３８ｄが通り抜け、係止突起３８ｄがスリット孔１９の段差部１９ａの下方に収納される。この状態で上蓋部材４を開放すると、図６のＣに示すように、係止片３８の脆弱部である橋絡部３８ａが切断され、上蓋部材４と分離状態となり、係止片３８はスリット孔１９の下部にある収容部１９ｂに落下する。このように、一端上蓋部材４を開けた状態から、再び上蓋部材４を閉じると、切断された係止片３８の上端部のみ見え、ユーザは係止片３８の切断と、容器蓋１の内部の露出によって、容器蓋１が少なくとも１回は開放されていることを認識できる。
【００２５】
上蓋部材４の開封後に中蓋１１を引く抜きときは、ユーザは引張片２１に指を差し込んで引張片２１を上方に引っ張るようにして除去する。図１のＡ及びＢに示すように、中蓋１１の除去は、中蓋１１の底部１１ｂにフィルム２５を溶着しているので、フィルム２５の切断と、底部１１ｂの周囲の環状破断ライン２３を切断する必要がある。
引張片２１は連結部２２と接続され、連結部２２は底部１１ｂの角部１１ｃ（図４参照）に連結されている。したがって、引張片２１を引き抜くときは、角部１１ｃに負荷が集中する。角部１１ｃには、複数ある架橋部２３ｂのうち、１つが設けられているが、角部１１ｃが先細りになっているので、その架橋部２３ｂの１つのみに破断力が集中し、容易にその架橋部２３ｂを破断でき、両脇に隣接する架橋部２３ｂの連結力の影響を殆ど受けることがない。次いで、１つの架橋部２３ｂが破断すると、次の架橋部２３ｂはモーメント力が作用し、小さな力で架橋部２３ｂを破断できる。
【００２６】
同様にフィルム２５を破断する場合は、カッター１４の先端部がフィルム２５面に近接しており、架橋部２３ｂの破断とともに角部１１ｃに対応して位置するフィルム２５を小さな力で切断できる。このように、角部１１ｃはその三角形状の頂点から破断しているので、当初小さな力で架橋部２３ｂの破断及びフィルム２５の切断が可能である。その後、架橋部２３ｂ、フィルム２５の破断、切断が滑らかに行える。カッター１４の先端にある刃の向きはフィルム２５の切断方向と一致させているので、スムーズなフィルム２５の切断が可能になる。図２のＣ及び図７は、中蓋１１が除去された状態を示す。
【００２７】
上蓋部材４の開閉時には、上蓋部材４の天面壁３０から垂下した環状のシール部３６が蓋本体３のフレア部１６ａに嵌入することによって、シール部３６はフレア部１６ａを備えた内側環状壁１６の内周面に密接するシール材の役割を果たす。この際、フレア部１６ａの上端部が外側に広がっているので、シール部３６がフレア部１６ａの案内によってセンタリングされ、上蓋部材４の垂下部３４が蓋本体３の外側環状壁１７に円滑に嵌入されることができる。上蓋部材４が蓋本体３を閉じた状態では、外側環状壁１７の外周面にビード１７ｂが形成されており、ビード１７ｂに上蓋部材４の内周面に形成した被係止凸部３４ｂが嵌合し、上蓋部材４の蓋本体３の外れ防止となる。
該ビード１７ｂは、図２のＡに示す状態にで、上蓋部材４が閉じ状態位置から開状態位置に開かれる際には、力の分散を図るため、ビード１７ｂと被係止凸部３４ｂ（図３参照）の相互係合が少なくとも部分的に解除された後に、スリット孔１９の段差部１９ａと係止片３８の係止突起３８ｄが相互に係合するように、遊び（隙間）を形成することが好ましい。
【００２８】
以上、本発明の実施形態について説明したが、本発明の技術的思想に基づいて、勿論、本発明は種々の変形又は変更が可能である。
例えば、上記実施形態では、環状破断ラインは延在方向に間隔をおいて配設された複数個のスリット２３ａと該スリット２３ａ間に位置する複数個の架橋部２３ｂとから構成したが、図８に示すように、スリット２３ａ及び架橋部２３ｂを廃止し、全体を破断可能にした薄肉部を形成するようにしてもよい。
また、上記実施の形態では、容器蓋１の橋絡部３８ａの材質や形状によって、橋絡部３８ａが弾性を有し、強度的にも十分であって破断しないような場合は、受け座３８ｂを省略してもよい。
【図面の簡単な説明】
【００２９】
【図１】本発明の実施の形態の容器蓋を示し、Ａは上蓋部材を蓋本体にセットした初期状態の正面図、Ｂは上蓋本体を開封した後に閉じた状態の正面図である。
【図２】本発明の実施の形態の容器蓋を示し、Ａは上蓋部材を蓋本体にセットした初期状態の断面図、Ｂは上蓋本体を開封した後に閉じた状態の断面図、ＣはＢの状態から中蓋を除去し上蓋本体を開封した状態の断面図である。
【図３】本発明の実施の形態の容器蓋の成形直後の状態の断面図である。
【図４】図３の容器蓋の平面図である。
【図５】図３の容器蓋の底面図である。
【図６】Ａは、上蓋部材を蓋本体にセットしている状態の拡大断面図、Ｂは図２のＡの係止片部の拡大断面図、Ｃは図２のＢの係止片部の拡大断面図である。
【図７】本発明の実施の形態の容器蓋を示し、中蓋を除去して上蓋部材が開状態になっている状態の断面図である。
【図８】本発明の変形例による容器蓋の底面図である。
【符号の説明】
【００３０】
１  容器蓋
２  容器
３  蓋本体
４  上蓋部材
７  底壁
８  環状凸部
９  環状溝
１１  中蓋
１１ｂ  底部
１１ｃ  鋭角部
１４  カッター
１６  内側環状壁
１７  外側環状壁
１７ｂ  ビード
１９  スリット孔
１９ｂ  収容部
２１  引張片
２３  環状破断ライン
２３ｂ  架橋部
２５  フィルム
３８  係止片
３８ａ  橋絡部
３８ｂ  受け座
３８ｄ  係止突起
【図１】
2008007156.tif 000003
【図２】
2008007156.tif 000004
【図３】
2008007156.tif 000005
【図４】
2008007156.tif 000006
【図５】
2008007156.tif 000007
【図６】
2008007156.tif 000008
【図７】
2008007156.tif 000009
【図８】
2008007156.tif 000010